(57)【要約】      （修正有）【課題】物品収納部に設けた接続ケーブルに接続した携帯オーディオプレーヤを、物品収納部の内部および外部の何れに置いても支障なく使用できるようにする。【解決手段】車両の車室内に設けたセンターロアボックス１３の内部から外部に引き出し可能な接続ケーブル１７に携帯オーディオプレーヤ２３を接続し、その携帯オーディオプレーヤ２３をセンターロアボックス１３の内部あるいは外部の何れかに置くことで、車載のオーディオ装置を用いて音楽等を楽しむことができる。接続ケーブル１７に接続された携帯オーディオプレーヤ２３をセンターロアボックス１３の外部に置く場合、センターロアボックス１３の開口部１４ａに接続ケーブル１７が嵌合する凹部１４ｉが形成されているため、センターロアボックス１３の蓋１５を接続ケーブル１７と干渉することなく閉めることが可能となり、蓋１５が開きっぱなしになって美観を損ねることが防止される。【選択図】図３
2011084090.tif 000002
【特許請求の範囲】
【請求項１】
車両の車室内に携帯オーディオプレーヤ（２３）を収納可能な物品収納部（１３）を設け、前記物品収納部（１３）を開閉可能な蓋（１５）で覆った車両用物品収納装置において、
前記物品収納部（１３）の内部から外部に引き出して前記携帯オーディオプレーヤ（２３）に接続可能な接続ケーブル（１７）を備え、前記物品収納部（１３）の開口部（１４ａ）には、前記接続ケーブル（１７）を引き出した状態で前記蓋（１５）を閉められるように、前記接続ケーブル（１７）が嵌合する凹部（１４ｉ）が形成されることを特徴とする車両用物品収納装置。
【請求項２】
前記物品収納部（１３）の内側には前記接続ケーブル（１７）の先端に固定したコネクタ（１８）を保持するコネクタ保持部（１９）が設けられており、前記コネクタ保持部（１９）は車体前後方向および車体左右方向から挿入される前記コネクタ（１８）を保持可能であることを特徴とする、請求項１に記載の車両用物品収納装置。
【請求項３】
前記コネクタ保持部（１９）は、運転席に着座した運転者から目視できない位置に設けられることを特徴とする、請求項２に記載の車両用物品収納装置。
【発明の詳細な説明】
【技術分野】
【０００１】
本発明は、車両の車室内に携帯オーディオプレーヤを収納可能な物品収納部を設け、前記物品収納部を開閉可能な蓋で覆った車両用物品収納装置に関する。
【背景技術】
【０００２】
自動車のインストルメントパネルに設けた物品収納部の内部に電源ユニットを着脱自在に設け、この電源ユニットに携帯オーディオプレーヤをセットすることで、車載のオーディオ装置を用いて音楽等を楽しむことができ、また携帯オーディオプレーヤを使用しないときには、電源ユニットを取り外すことで物品収納部を小物やカード等の物品の収納に使用することを可能にしたものが、下記特許文献１により公知である。
【先行技術文献】
【特許文献】
【０００３】
【特許文献１】実開平７−２４６６０号公報
【発明の概要】
【発明が解決しようとする課題】
【０００４】
ところで上記従来のものは、携帯オーディオプレーヤを物品収納部の内部に設けた電源ユニットにセットして使用するようになっているが、物品収納部に設けた接続ケーブルに携帯オーディオプレーヤを接続すれば、携帯オーディオプレーヤを物品収納部の内部に置いた状態でも外部に置いた状態でも使用することが可能になって利便性が向上する。しかしながら、このようにすると、携帯オーディオプレーヤを物品収納部の外部に置いた状態で使用する場合に、外部に引き出された接続ケーブルが邪魔になって物品収納部の蓋が閉められなくなり、美観を損ねるという問題が発生する。
【０００５】
本発明は前述の事情に鑑みてなされたもので、物品収納部に設けた接続ケーブルに接続した携帯オーディオプレーヤを、物品収納部の内部および外部の何れに置いても支障なく使用できるようにすることを目的とする。
【課題を解決するための手段】
【０００６】
上記目的を達成するために、請求項１に記載された発明によれば、車両の車室内に携帯オーディオプレーヤを収納可能な物品収納部を設け、前記物品収納部を開閉可能な蓋で覆った車両用物品収納装置において、前記物品収納部の内部から外部に引き出して前記携帯オーディオプレーヤに接続可能な接続ケーブルを備え、前記物品収納部の開口部には、前記接続ケーブルを引き出した状態で前記蓋を閉められるように、前記接続ケーブルが嵌合する凹部が形成されることを特徴とする車両用物品収納装置が提案される。
【０００７】
また請求項２に記載された発明によれば、請求項１の構成に加えて、前記物品収納部の内側には前記接続ケーブルの先端に固定したコネクタを保持するコネクタ保持部が設けられており、前記コネクタ保持部は車体前後方向および車体左右方向から挿入される前記コネクタを保持可能であることを特徴とする車両用物品収納装置が提案される。
【０００８】
また請求項３に記載された発明によれば、請求項２の構成に加えて、前記コネクタ保持部は、運転席に着座した運転者から目視できない位置に設けられることを特徴とする車両用物品収納装置が提案される。
【０００９】
尚、実施の形態のセンターロアボックス１３は本発明の物品収納部に対応する。
【発明の効果】
【００１０】
請求項１の構成によれば、車両の車室内に設けた物品収納部の内部から外部に引き出し可能な接続ケーブルに携帯オーディオプレーヤを接続し、その携帯オーディオプレーヤを物品収納部の内部あるいは外部の何れかに置くことで、車載のオーディオ装置を用いて音楽等を楽しむことができる。接続ケーブルに接続された携帯オーディオプレーヤを物品収納部の外部に置く場合、物品収納部の開口部に接続ケーブルが嵌合する凹部が形成されているため、物品収納部の蓋を接続ケーブルと干渉することなく閉めることが可能となり、蓋が開きっぱなしになって美観を損ねることが防止される。
【００１１】
また請求項２の構成よれば、物品収納部の内側に接続ケーブルの先端に固定したコネクタを保持するコネクタ保持部を設けたので、使用していないコネクタが物品収納部の内部でぶらぶらするのを防止することができるだけでなく、車体前後方向および車体左右方向両方向から挿入されるコネクタをコネクタ保持部に保持可能なので、コネクタの保持作業が容易になる。
【００１２】
また請求項３の構成によれば、コネクタ保持部は運転席に着座した運転者から目視できない位置に設けられているので、コネクタ保持部により物品収納部の美観が損ねられることがない反面、運転者がコネクタをコネクタ保持部に保持させる作業がやり難くなる。しかしながら、コネクタを車体前後方向および車体左右方向の何れの方向からもコネクタ保持部に保持させることができるので、その作業性が低下することがない。
【図面の簡単な説明】
【００１３】
【図１】車両のインストルメントパネルの斜視図。
【図２】蓋を閉じた状態のセンターロアボックスの斜視図。
【図３】蓋を開いた状態のセンターロアボックスの斜視図。
【図４】センターロアボックスの内部の部分斜視図。
【図５】図４の５−５線矢視図。
【図６】図４の６−６線断面図。
【図７】図６の７Ａ−７Ａ線および７Ｂ−７Ｂ線断面図。
【発明を実施するための形態】
【００１４】
以下、図１〜図７に基づいて本発明の実施の形態を説明する。
【００１５】
図１〜図３に示すように、自動車のインストルメントパネル１１がセンターコンソール１２に接続する部分に、財布やカード等の小物物品を収納するためのセンターロアボックス１３が設けられる。センターロアボックス１３は車体後方に向けて開口するボックス本体１４を備えており、その開口部１４ａに開閉可能な蓋１５が設けられる。蓋１５は開口部１４ａの上縁にヒンジ１６を介して枢支されており、その下縁に設けた把手１５ａに指を掛けて開閉可能である。貴重品を収納する場合を考慮してセンターロアボックス１３は施錠可能としても良い。
【００１６】
図４から明らかなように、センターロアボックス１３のボックス本体１４の左壁１４ｂ、上壁１４ｃおよび底壁１４ｄからブロック状の凸部１４ｅが突出しており、凸部１４ｅの後面から車体後方に向かって延出する接続ケーブル１７の先端にコネクタ１８が設けられる。接続ケーブル１７は、図示せぬ車載のオーディオ機器に接続されている。
【００１７】
図４〜図７から明らかなように、前記凸部１４ｅの下面とボックス本体１４の下壁１４ｆとの間にコネクタ保持部１９が設けられる。コネクタ保持部１９は、凸部１４ｅの下面の一部を切り欠いて形成した弾性腕１４ｇと、弾性腕１４ｇの先端に設けた押さえ爪１４ｈとを備える。弾性腕１４ｇはボックス本体１４の開口部１４ａ側から底壁１４ｄ側に向かって延びており、押さえ爪１４ｈは弾性腕１４ｇの下面から下向きに膨出する。自由状態において、押さえ爪１４ｈの下端とボックス本体１４の下壁１４ｆとの距離Ｄは、コネクタ１８の厚さＴよりも小さく設定される（図７参照）。図７に示すように、押さえ爪１４ｈの下端の車体後側のエッジｅ１は、丸みを持つように面取りされている。また図６に示すように、押さえ爪１４ｈの下端の車体右側のエッジｅ２は、丸みを持つように面取りされている。
【００１８】
上記構成を備えたコネクタ保持部１９は、運転席に着座した運転者から目視不能な位置に設けられている。
【００１９】
図２〜図４から明らかなように、センターロアボックス１３の接続ケーブル１７のコネクタ１８に、延長ケーブル２０の一端に設けたコネクタ２１を結合し、かつ延長ケーブル２０の他端に設けたコネクタ２２を携帯オーディオプレーヤ２３に結合することで、携帯オーディオプレーヤ２３を車載のオーディオ機器に接続することができる。センターロアボックス１３のボックス本体１４の開口部１４ａの下縁には、接続ケーブル１７を通過させるべく、車体前方に向かって凹む半円状の凹部１４ｉが形成される。この凹部１４ｉは蓋１５を閉じた状態でも開放状態に維持される。
【００２０】
次に、上記構成を備えた本発明の実施の形態の作用を説明する。
【００２１】
携帯オーディオプレーヤ２３を使用しないとき、不要になる接続ケーブル１７のコネクタ１８をセンターロアボックス１３のコネクタ保持部１９に保持させることで、接続ケーブル１７およびコネクタ１８がセンターロアボックス１３の内部でぶらぶらするのを防止することができる。コネクタ１８をコネクタ保持部１９に保持させるには二つの方法がある。
【００２２】
一つ目は、図７に示すように、コネクタ１８をコネクタ保持部１９に向かって真っ直ぐ前方に押し込む方法であり、押し込まれたコネクタ１８が弾性腕１４ｇの下面の押さえ爪１４ｈを押し上げながら前進することで、コネクタ１８は押さえ爪１４ｈの下面とボックス本体１４の下壁１４ｆの上面との間に挟まれて弾性腕１４ｇの弾発力で保持される。このとき、押さえ爪１４ｈの下端の車体後側のエッジｅ１が面取りされているため、コネクタ１８との当接により弾性腕１４ｇは自動的に上方に弾性変形することができる。
【００２３】
二つ目は、図６に示すように、一旦コネクタ保持部１９の右側に位置させたコネクタ１８をボックス本体１４の下壁１４ｆに沿って左側に滑らせることで、コネクタ１８は押さえ爪１４ｈの下面とボックス本体１４の下壁１４ｆの上面との間に挟まれて弾性腕１４ｇの弾発力で保持される。このとき、押さえ爪１４ｈの下端の車体右側のエッジｅ２が面取りされているため、コネクタ１８との当接により弾性腕１４ｇは自動的に上方に弾性変形することができる。
【００２４】
センターロアボックス１３の蓋１５を開いた状態で、コネクタ保持部１９は運転者から見えない位置に設けられているが、運転者は上述した二つの方法のうちで自分のやり易い方法を選択することで、コネクタ１８を手さぐりでコネクタ保持部１９に保持させる作業を容易に行うことができる。
【００２５】
さて携帯オーディオプレーヤ２３を車載のオーディオ機器に接続して音楽等を楽しむ場合、センターロアボックス１３に設けた接続ケーブル１７に延長ケーブル２０を介して携帯オーディオプレーヤ２３を接続し、その携帯オーディオプレーヤ２３をセンターロアボックス１３の内部に収納して蓋１５を閉め、ナビゲーションシステムのモニタをタッチすることで操作を行えば良い。
【００２６】
また携帯オーディオプレーヤ２３をセンターロアボックス１３の外部に置いて使用することも可能である。この場合、図３に示すようにセンターロアボックス１３に設けた接続ケーブル１７をボックス本体１４の開口部１４ａの凹部１４ｉを通して外部に引き出し、この状態で、図２に示すように蓋１５を閉じれば良い。このようにすることで、接続ケーブル１７と干渉せずに蓋１５を完全に閉めることが可能となり、蓋１５が半開きになって美観を損ねることが防止される。
【００２７】
以上、本発明の実施の形態を説明したが、本発明はその要旨を逸脱しない範囲で種々の設計変更を行うことが可能である。
【００２８】
例えば、実施の形態では本発明の物品収納部（センターロアボックス１３）をインストルメントパネル１１に設けているが、本発明の物品収納部はセンターコンソール１２等のインストルメントパネル１１以外の部分に設けることができる。
【符号の説明】
【００２９】
１３        センターロアボックス（物品収納部）
１４ａ      開口部
１４ｉ      凹部
１５        蓋
１７        接続ケーブル
１８        コネクタ
１９        コネクタ保持部
２３        携帯オーディオプレーヤ
【図１】
2011084090.tif 000003
【図２】
2011084090.tif 000004
【図３】
2011084090.tif 000005
【図４】
2011084090.tif 000006
【図５】
2011084090.tif 000007
【図６】
2011084090.tif 000008
【図７】
2011084090.tif 000009